(57)【要約】【課題】  Ｗｅｂサーバの管理者が提供する情報を、特定の地域の携帯通信端末にのみ送信する。【解決手段】  Ｗｅｂサーバ８１は、予め情報を提供する地域を示す認証キーを記憶している。携帯電話機９が、Ｗｅｂサーバ８１にホームページ８２の閲覧を要求すると、Ｗｅｂサーバ８１は、交換機１に、携帯電話機９が存在する地域を示す認証キーの送信を要求する。交換機１は、携帯電話機９が存在する地域を示す認証キーをＷｅｂサーバ８１に送信する。Ｗｅｂサーバ８１は、予め記憶している認証キーと、交換機１から受信した認証キーとが合致すると、ホームページ８２を表示させるデータを携帯電話機９に送信する。【選択図】  図１
2006121328.tif 000002
【特許請求の範囲】
【請求項１】
情報を表示する携帯通信端末と、
予め決められた地域に存在する前記携帯通信端末の要求に応じて情報を送信するＷｅｂサーバと、
前記携帯通信端末と無線通信ネットワークを介して接続されるとともに、通信ネットワークを介して前記Ｗｅｂサーバに接続されるネットワーク接続装置とを備え、
前記携帯通信端末は、前記ネットワーク接続装置を介して前記Ｗｅｂサーバに情報の送信を要求する情報送信要求手段を含み、
前記ネットワーク接続装置は、前記携帯通信端末が存在する地域を特定する位置特定手段と、前記Ｗｅｂサーバに、前記携帯通信端末が存在する地域を示す情報である位置情報を送信する位置情報送信手段とを含み、
前記Ｗｅｂサーバは、前記位置情報送信手段から受信した前記位置情報が、予め決められた地域を示すと、前記携帯通信端末の前記情報送信要求手段の要求に応じて情報を送信する情報送信手段を含む
ことを特徴とする地域情報送信システム。
【請求項２】
位置特定手段は、地域内に設置されている基地局と無線通信可能な範囲を、携帯通信端末が存在する地域として特定する
請求項１記載の地域情報送信システム。
【請求項３】
Ｗｅｂサーバには、情報送信手段が情報を送信すべき携帯通信端末が存在する地域を示す情報を予め記憶する情報送信地域記憶手段が付随している
請求項１または請求項２記載の地域情報送信システム。
【請求項４】
位置情報送信手段は、Ｗｅｂサーバの要求に応じて位置情報を前記Ｗｅｂサーバに送信する
請求項１から請求項３のうちいずれか１項記載の地域情報送信システム。
【請求項５】
位置情報送信手段は、携帯通信端末によるＷｅｂサーバへの情報の送信の要求とともに、位置情報を前記Ｗｅｂサーバに送信する
請求項１から請求項３のうちいずれか１項記載の地域情報送信システム。
【請求項６】
情報送信手段が携帯通信端末の要求に応じて送信する情報は、前記携帯通信端末にホームページを表示させるデータである
請求項１から請求項５のうちいずれか１項記載の地域情報送信システム。
【請求項７】
情報の送信を要求し、
情報の送信の要求元が存在する地域を示す情報である位置情報を送信し、
受信した前記位置情報が、予め決められた地域を示すと、情報の送信の要求に応じて情報を送信する
ことを特徴とする地域情報送信方法。
【請求項８】
コンピュータに、
携帯通信端末と無線通信ネットワークを介して接続されるとともに、前記携帯通信端末が存在する地域を特定する手段を有するネットワーク接続装置から、情報の送信を要求する情報と、前記携帯通信端末が存在する地域を示す情報である位置情報とを受信させ、受信した前記位置情報が、予め決められた地域を示すと、要求に応じて前記携帯通信端末に情報を送信させる情報送信処理を実行させるための地域情報送信プログラム。
【発明の詳細な説明】
【技術分野】
【０００１】
本発明は、Ｗｅｂサーバの管理者が提供する情報を、特定の地域の携帯通信端末にのみ送信することができる地域情報送信システム、地域情報送信方法および地域情報送信プログラムに関する。
【背景技術】
【０００２】
一般に、インターネットに接続されたＷｅｂサーバは、情報を世界中に公開して発信しているのであるが、Ｗｅｂサーバによっては、ある地域に特化した情報を公開して発信しているものもある。そのようなＷｅｂサーバは、世界中からアクセスを受け付ける必要がない。
【０００３】
そのようなＷｅｂサーバがアクセス制限を行う方法として、アクセスを希望するユーザにＷｅｂサーバの管理者がＩＤやパスワードを発行するという方法があるが、アクセスを希望するユーザは、Ｗｅｂサーバの管理者がＩＤやパスワードを発行する際に、電子メールアドレスや電話番号等の個人情報を提供する必要があり、個人情報が流出する恐れがあった。
【０００４】
そこで、限定された地域の人のみが加入することができるインターネット接続事業者と契約した契約者のコンピュータのみがＷｅｂサーバに接続することができるシステムが提案されている（特許文献１参照。）。
【０００５】
また、通信端末の位置を認識し、認識した通信端末の位置に応じて、移動体通信の事業者が情報を通信端末に送信するシステムが提案されている（特許文献２参照。）。
【０００６】
【特許文献１】特開２００３−２４２３７３号公報  （段落０００９〜００１４、図１）
【特許文献２】特開平１１−１８７４６９号公報  （段落００２２〜００２６、図１）
【発明の開示】
【発明が解決しようとする課題】
【０００７】
しかし、特許文献１に記載されているシステムは、移動体通信端末によるＷｅｂサーバへの接続に対応しておらず、移動可能な携帯電話機等の移動体通信端末のユーザは、特許文献１に記載されているシステムを利用することができない。
【０００８】
また、特許文献２に記載されているシステムは、移動体通信の事業者が通信端末に情報を送信するため、通信端末に送信される情報は、移動体通信の事業者が提供する情報に制限されてしまう。
【０００９】
そこで、本発明は、Ｗｅｂサーバから情報の提供を受ける端末が、移動可能な携帯通信端末であっても、特定の地域に存在する携帯通信端末にのみＷｅｂサーバから情報を送信することができる地域情報送信システム、地域情報送信方法および地域情報送信プログラムを提供することを目的とする。
【課題を解決するための手段】
【００１０】
本発明による地域情報送信システムは、情報を表示する携帯通信端末と、予め決められた地域に存在する携帯通信端末の要求に応じて情報を送信するＷｅｂサーバと、携帯通信端末と無線通信ネットワークを介して接続されるとともに、通信ネットワークを介してＷｅｂサーバに接続されるネットワーク接続装置とを備え、携帯通信端末は、ネットワーク接続装置を介してＷｅｂサーバに情報の送信を要求する情報送信要求手段を含み、ネットワーク接続装置は、携帯通信端末が存在する地域を特定する位置特定手段と、Ｗｅｂサーバに、携帯通信端末が存在する地域を示す情報である位置情報を送信する位置情報送信手段とを含み、Ｗｅｂサーバは、位置情報送信手段から受信した位置情報が、予め決められた地域を示すと、携帯通信端末の情報送信要求手段の要求に応じて情報を送信する情報送信手段を含むことを特徴とする。
【００１１】
位置特定手段は、地域内に設置されている基地局と無線通信可能な範囲を、携帯通信端末が存在する地域として特定してもよい。そのような構成によれば、ネットワーク接続装置は、接続されている基地局と無線通信可能な携帯通信端末が存在する地域を特定することができる。
【００１２】
Ｗｅｂサーバには、情報送信手段が情報を送信すべき携帯通信端末が存在する地域を示す情報を予め記憶する情報送信地域記憶手段が付随していてもよい。そのような構成によれば、Ｗｅｂサーバは、情報送信手段が情報を送信すべき携帯通信端末が存在する予め決められた地域を示す情報を記憶することができる。
【００１３】
位置情報送信手段は、Ｗｅｂサーバの要求に応じて位置情報をＷｅｂサーバに送信してもよいし、位置情報送信手段は、携帯通信端末によるＷｅｂサーバへの情報の送信の要求とともに、位置情報をＷｅｂサーバに送信してもよい。
【００１４】
情報送信手段が携帯通信端末の要求に応じて送信する情報は、携帯通信端末にホームページを表示させるデータであってもよい。
【００１５】
本発明による地域情報送信方法は、情報の送信を要求し、情報の送信の要求元が存在する地域を示す情報である位置情報を送信し、受信した位置情報が、予め決められた地域を示すと、情報の送信の要求に応じて情報を送信することを特徴とする。
【００１６】
本発明による地域情報送信プログラムは、コンピュータに、携帯通信端末と無線通信ネットワークを介して接続されるとともに、携帯通信端末が存在する地域を特定する手段を有するネットワーク接続装置から、情報の送信を要求する情報と、携帯通信端末が存在する地域を示す情報である位置情報とを受信させ、受信した位置情報が、予め決められた地域を示すと、要求に応じて携帯通信端末に情報を送信させる情報送信処理を実行させることを特徴とする。
【発明の効果】
【００１７】
本発明によれば、Ｗｅｂサーバの管理者が提供する情報を、特定の地域の携帯通信端末にのみ送信することができる。
【発明を実施するための最良の形態】
【００１８】
実施の形態１．
本発明の第１の実施の形態について、図面を参照して説明する。図１は、本発明の第１の実施の形態の一構成例を示す説明図である。
【００１９】
図１において、交換機１および交換機２（ネットワーク接続装置）は、それぞれ公衆携帯電話網（具体的にはパケット網。以下携帯電話通信網という。）の電話交換機である。地域３および地域４は、交換機１に接続された携帯電話通信網の基地局が、それぞれ携帯電話機と通信することが可能な地域である。地域５および地域６は、交換機２に接続された携帯電話通信網の基地局が、それぞれ携帯電話機と通信することが可能な地域である。なお、１つの地域に複数の基地局が存在してもよい。
【００２０】
携帯電話機９および携帯電話機１０（携帯通信端末）は、自在に移動することができ、例えば、携帯電話機９および携帯電話機１０が地域３または地域４に存在すれば、交換機１を介して携帯電話通信網と接続することができ、携帯電話機９および携帯電話機１０が地域５または地域６に存在すれば、交換機２を介して携帯電話通信網と接続することができる。図１に示す例では、携帯電話機９は地域３に存在し、携帯電話機１０は地域６に存在していることを示している。情報送信要求手段は、プログラムに従って処理を実行する携帯電話機９または携帯電話機１０のＣＰＵによって実現される。
【００２１】
Ｗｅｂサーバ８１は、例えば、サーバによって実現される。そして、情報送信手段は、プログラムに従って処理を実行するＷｅｂサーバ８１のＣＰＵによって実現される。また、情報送信地域記憶手段は、例えば、Ｗｅｂサーバ８１に内蔵または接続されている記憶装置（図示せず）によって実現される。Ｗｅｂサーバ８１は、通信ネットワークとしてのインターネット７と接続され、ホームページ８２を記憶している。交換機１および交換機２はゲートウェイ（図示せず）を介してインターネット７と接続され、携帯電話機９および携帯電話機１０は、交換機１または交換機２を介してインターネット７に接続することができる。交換機１および交換機２とゲートウェイとは、携帯通信端末と無線通信ネットワークを介して接続されるとともに、通信ネットワークを介してＷｅｂサーバ８１に接続されるネットワーク接続装置の実現例である。
【００２２】
位置特定手段および位置情報送信手段は、プログラムに従って処理を実行する交換機１または交換機２のＣＰＵによって実現される。交換機１は、地域３および地域４に存在する携帯電話機が、どの地域に存在しているのかを示す情報を含む加入者データ１１を記憶しており、図１に示す例では、加入者データ１１は、携帯電話機９が地域３に存在していることを示す情報を含む。交換機２は、地域５および地域６に存在する携帯電話機が、どの地域に存在しているのかを示す情報を含む加入者データ２１を記憶しており、図１に示す例では、加入者データ２１は、携帯電話機１０が地域６に存在していることを示す情報を含む。従って、位置特定手段の実現例である交換機１または交換機２のＣＰＵは、所定の地域内に設置されている基地局と無線通信可能な携帯電話機が存在する範囲を、その携帯電話機が存在する地域として特定することができる。
【００２３】
Ｗｅｂサーバ８１は、コンピュータに、携帯電話機９または携帯電話機１０と携帯電話通信網を介して接続されるとともに、携帯電話機９または携帯電話機１０が存在する地域を特定する手段（機能）を有する交換機１または交換機２から、情報の送信を要求する情報と、携帯電話機９または携帯電話機１０が存在する地域を示す情報である位置情報とを受信させ、受信した位置情報が、予め決められた地域を示すと、要求に応じて携帯電話機９または携帯電話機１０に情報を送信させる情報送信処理を実行させるための地域情報送信プログラムを搭載している。
【００２４】
本発明の第１の実施の形態の動作について、図面を参照して説明する。図２は、携帯電話通信網の事業者のサーバである通信事業者サーバ７１が、Ｗｅｂサーバ８１が記憶しているホームページ８２の閲覧を許可する地域を示す情報である認証キーを発行する際の動作を説明するシーケンス図である。
【００２５】
Ｗｅｂサーバ８１の管理者は、Ｗｅｂサーバ８１を操作して、通信事業者サーバ７１に、予め携帯電話機９および携帯電話機１０にＷｅｂサーバ８１が記憶しているホームページ８２の閲覧を許可する地域を示す情報である認証キーの発行を要求する（ステップＳ１０１）。
【００２６】
通信事業者サーバ７１は、Ｗｅｂサーバ８１の要求に応じて、携帯電話機９および携帯電話機１０にＷｅｂサーバ８１が記憶しているホームページ８２の閲覧を許可する地域を示す情報である認証キーを発行し（ステップＳ１０２）、発行した認証キーをＷｅｂサーバ８１に送信する（ステップＳ１０３）。Ｗｅｂサーバ８１は、受信した認証キーを記憶し（ステップＳ１０４）、ログインＩＤまたはパスワードとして設定する。
【００２７】
認証キーは、例えば、携帯電話通信網の事業者が、携帯電話機が存在している地域を判別するために用いる数値や文字列等である。例えば、Ｗｅｂサーバ８１の管理者が、携帯電話機９および携帯電話機１０が地域３または地域５に存在しているときにＷｅｂサーバ８１が記憶しているホームページ８２の閲覧を許可する場合、Ｗｅｂサーバ８１は、地域３を示す認証キーおよび地域５を示す認証キーの発行を通信事業者サーバ７１に要求し、通信事業者サーバ７１は、地域３を示す認証キーおよび地域５を示す認証キーを発行してＷｅｂサーバ８１に送信する。
【００２８】
Ｗｅｂサーバ８１は、受信した認証キーを記憶し、ログインＩＤまたはパスワードとして設定する。なお、通信事業者サーバ７１は、認証キーを暗号化してＷｅｂサーバ８１に送信してもよい。また、Ｗｅｂサーバ８１は、暗号化された認証キーを復号して記憶してもよい。
【００２９】
図３は、携帯電話機９または携帯電話機１０がＷｅｂサーバ８１にホームページ８２の閲覧を要求する際の動作を説明するフローチャートである。
【００３０】
携帯電話機９または携帯電話機１０は、交換機１または交換機２とインターネット７とを介してＷｅｂサーバ８１に、ホームページ８２の閲覧を要求する情報を送信する（ステップＳ２０１）。Ｗｅｂサーバ８１は、認証キーを受信していないので（ステップＳ２０２）、インターネット７を介して交換機１に、携帯電話機９の認証キーの送信を要求する（ステップＳ２０３）。
【００３１】
交換機１または交換機２は、加入者データ１１または加入者データ２１にもとづいて、携帯電話機９または携帯電話機１０が存在する地域を示す認証キーをインターネット７を介してＷｅｂサーバ８１に送信する（ステップＳ２０４）。Ｗｅｂサーバ８１は、インターネット７を介して交換機１または交換機２から認証キーを受信する。そして、Ｗｅｂサーバ８１は、予め通信事業者サーバ７１から受信して記憶し、ログインＩＤまたはパスワードとして設定していた認証キーと、交換機１または交換機２から受信した認証キーとを比較して合致するか否かを判断する（ステップＳ２０５）。
【００３２】
Ｗｅｂサーバ８１は、交換機１または交換機２から受信した認証キーと、予め通信事業者サーバ７１から受信して記憶し、ログインＩＤまたはパスワードとして設定していた認証キーとが合致すると判断すると、携帯電話機９または携帯電話機１０にホームページ８２の閲覧を許可し、携帯電話機９または携帯電話機１０にホームページ８２を表示させるデータを、インターネット７と交換機１または交換機２とを介して送信する（ステップＳ２０６）。
【００３３】
Ｗｅｂサーバ８１は、交換機１または交換機２から受信した認証キーと、予め通信事業者サーバ７１から受信して記憶し、ログインＩＤまたはパスワードとして設定していた認証キーとが合致しないと判断すると、携帯電話機９または携帯電話機１０にホームページ８２の閲覧を許可せず、携帯電話機９または携帯電話機１０に、ホームページ８２の閲覧の拒否を示すデータを、インターネット７と交換機１または交換機２とを介して送信する（ステップＳ２０７）。
【００３４】
図４は、携帯電話機９がＷｅｂサーバ８１にホームページ８２の閲覧を要求する際の動作を説明するシーケンス図である。
【００３５】
図１に示す例では、携帯電話機９は、地域３に存在するので、携帯電話機９は、交換機１とインターネット７とを介してＷｅｂサーバ８１に、ホームページ８２の閲覧を要求する情報を送信する（ステップＳ３０１、Ｓ３０２）。Ｗｅｂサーバ８１は、携帯電話機９から受信したホームページ８２の閲覧を要求する情報が認証キーを含んでいないので、インターネット７を介して交換機１に、携帯電話機９の認証キーの送信を要求する（ステップＳ３０３）。
【００３６】
交換機１は、加入者データ１１が携帯電話機９が地域３に存在していることを示しているので、地域３を示す認証キーをインターネット７を介してＷｅｂサーバ８１に送信する（ステップＳ３０４）。Ｗｅｂサーバ８１は、インターネット７を介して交換機１から地域３を示す認証キーを受信する。そして、Ｗｅｂサーバ８１は、予め通信事業者サーバ７１から受信して記憶し、ログインＩＤまたはパスワードとして設定していた認証キーと、交換機１から受信した認証キーとを比較して合致するか否かを判断する（ステップＳ３０５）。
【００３７】
Ｗｅｂサーバ８１は、地域３を示す認証キーおよび地域５を示す認証キーを記憶し、ログインＩＤまたはパスワードとして設定しているので、交換機１から受信した地域３を示す認証キーと、予め通信事業者サーバ７１から受信して記憶し、ログインＩＤまたはパスワードとして設定していた認証キーのいずれかとが合致すると判断する。
【００３８】
すると、Ｗｅｂサーバ８１は、携帯電話機９にホームページ８２の閲覧を許可し、携帯電話機９にホームページ８２を表示させるデータを、インターネット７と交換機１とを介して送信する（ステップＳ３０６、Ｓ３０７）。携帯電話機９は、ホームページ８２を表示させるデータを受信すると、ホームページ８２を表示する（ステップＳ３０８）。
【００３９】
なお、携帯電話機９が地域４または地域６に移動して、Ｗｅｂサーバ８１にホームページ８２の閲覧を要求する情報を送信し、Ｗｅｂサーバ８１が交換機１または交換機２に携帯電話機１０の認証キーの送信を要求すると、Ｗｅｂサーバ８１が交換機１または交換機２から受信する認証キーは、地域４または地域６を示す。
【００４０】
すると、Ｗｅｂサーバ８１は、予め通信事業者サーバ７１から受信して記憶し、ログインＩＤまたはパスワードとして設定していた認証キー（地域３を示す認証キーおよび地域５を示す認証キー）のいずれかと、交換機１または交換機２から受信した認証キー（地域４を示す認証キーまたは地域６を示す認証キー）とが合致しないので、携帯電話機９にホームページ８２の閲覧の拒否を示すデータを送信する。携帯電話機９は、ホームページ８２の閲覧の拒否を示すデータを受信すると、ホームページ８２の閲覧の拒否を示す画面を表示する。
【００４１】
図５は、携帯電話機１０がＷｅｂサーバ８１にホームページ８２の閲覧を要求する際の動作を説明するシーケンス図である。
【００４２】
図１に示す例では、携帯電話機１０は、地域６に存在するので、携帯電話機１０は、交換機２とインターネット７とを介してＷｅｂサーバ８１に、ホームページ８２の閲覧を要求する情報を送信する（ステップＳ４０１、Ｓ４０２）。Ｗｅｂサーバ８１は、携帯電話機１０から受信したホームページ８２の閲覧を要求する情報が認証キーを含んでいないので、インターネット７を介して交換機２に、携帯電話機１０の認証キーの送信を要求する（ステップＳ４０３）。
【００４３】
交換機２は、加入者データ２１が携帯電話機１０が地域６に存在していることを示しているので、地域６を示す認証キーをインターネット７を介してＷｅｂサーバ８１に送信する（ステップＳ４０４）。Ｗｅｂサーバ８１は、インターネット７を介して交換機２から地域６を示す認証キーを受信する。Ｗｅｂサーバ８１は、予め通信事業者サーバ７１から受信して記憶し、ログインＩＤまたはパスワードとして設定していた認証キーと、交換機２から受信した認証キーとが合致するか否かを判断する（ステップＳ４０５）。
【００４４】
Ｗｅｂサーバ８１は、地域３を示す認証キーおよび地域５を示す認証キーを記憶し、ログインＩＤまたはパスワードとして設定しているが、交換機２から受信した地域６を示す認証キーと、予め通信事業者サーバ７１から受信して記憶し、ログインＩＤまたはパスワードとして設定していた認証キーのいずれもと合致しないと判断する。
【００４５】
すると、Ｗｅｂサーバ８１は、携帯電話機１０にホームページ８２の閲覧を許可せず、携帯電話機１０に、ホームページ８２の閲覧の拒否を示すデータを、インターネット７と交換機２とを介して送信する（ステップＳ４０６、Ｓ４０７）。携帯電話機１０は、ホームページ８２の閲覧の拒否を示すデータを受信すると、ホームページ８２の閲覧の拒否を示す画面を表示する（ステップＳ４０８）。
【００４６】
なお、携帯電話機１０が地域３または地域５に移動して、Ｗｅｂサーバ８１にホームページ８２の閲覧を要求する情報を送信し、Ｗｅｂサーバ８１が交換機１または交換機２に携帯電話機１０の認証キーの送信を要求すると、交換機１または交換機２から受信する認証キーは、地域３または地域５を示す。
【００４７】
すると、Ｗｅｂサーバ８１は、予め通信事業者サーバ７１から受信して記憶し、ログインＩＤまたはパスワードとして設定していた認証キー（地域３を示す認証キーおよび地域５を示す認証キー）のいずれかと、交換機１または交換機２から受信した認証キー（地域３を示す認証キーまたは地域５を示す認証キー）とが合致するので、携帯電話機１０にホームページ８２を表示させるデータを送信する。携帯電話機１０は、ホームページ８２を表示させるデータを受信すると、ホームページ８２を表示する。
【００４８】
なお、携帯電話機９または携帯電話機１０が、地域３または地域５（ホームページ８２の閲覧が許可される地域内）に存在して、ホームページ８２のデータをＷｅｂサーバ８１から受信してホームページ８２を表示中に、地域４または地域６（ホームページ８２の閲覧が許可される地域外）に移動した場合であっても、携帯電話機９または携帯電話機１０はホームページ８２の閲覧を継続することができる。
【００４９】
ただし、携帯電話機９または携帯電話機１０が、地域４または地域６（ホームページ８２の閲覧が許可される地域外）に移動してから、再度Ｗｅｂサーバ８１にホームページ８２の閲覧を要求する情報を送信すると、Ｗｅｂサーバ８１は、交換機１または交換機２に認証キーの送信を要求し、交換機１または交換機２は、地域４または地域６を示す認証キーをＷｅｂサーバ８１に送信する。
【００５０】
地域４または地域６を示す認証キーは、いずれも予め通信事業者サーバ７１から受信して記憶し、ログインＩＤまたはパスワードとして設定していた認証キーではないので、Ｗｅｂサーバ８１は、携帯電話機９または携帯電話機１０に、ホームページ８２の閲覧を拒否する。
【００５１】
以上に述べたように、この実施の形態によれば、Ｗｅｂサーバ８１は、特定の地域の携帯電話機にのみホームページ８２の閲覧を許可するため、Ｗｅｂサーバ８１の管理者は、地方自治体や施設、商業地域において、その地域を訪れた人のみ閲覧できるＷｅｂサイトを構築し、希少価値の高い情報を公開することにより、その地域への来訪者の増加を促し、その地域を活性化することができる。
【００５２】
また、この実施の形態によれば、Ｗｅｂサーバ８１は、特定の地域外の携帯電話機によるホームページ８２の閲覧を拒否するため、特定の地域外の携帯電話機によるＷｅｂサーバ８１へのアクセスによるインターネット７やＷｅｂサーバ８１への負荷を軽減することができる。
【００５３】
さらに、この実施の形態では、公衆携帯電話網における交換機等に一般的に備えられている加入者データを利用して、特定の地域内に存在する携帯電話機に対してホームページの閲覧を許可したり禁止したりすることができる。従って、システムを構築するためのコストを抑えることができる。
【００５４】
実施の形態２．
本発明の第２の実施の形態について説明する。本発明の第２の実施の形態の構成は、第１の実施の形態と同様なため、第１の実施の形態と同様なサーバ等には、図１と同じ符号を付し、説明を省略する。
【００５５】
本発明の第２の実施の形態の動作について説明する。なお、本発明の第２の実施の形態の動作において、携帯電話通信網の事業者のサーバである通信事業者サーバ７１が、Ｗｅｂサーバ８１が記憶しているホームページ８２の閲覧を許可する地域を示す情報である認証キーを発行する際の動作は、第１の実施の形態における動作と同様なため説明を省略する。
【００５６】
図６は、第２の実施の形態において、携帯電話機９または携帯電話機１０がＷｅｂサーバ８１にホームページ８２の閲覧を要求する際の動作を説明するフローチャートである。
【００５７】
携帯電話機９または携帯電話機１０は、交換機１または交換機２とインターネット７とを介してＷｅｂサーバ８１に、ホームページ８２の閲覧を要求する情報を送信する（ステップＳ５０１）。交換機１または交換機２は、加入者データ１１または加入者データ２１にもとづいて、携帯電話機９または携帯電話機１０が存在する地域を示す認証キーをホームページ８２の閲覧を要求する情報と対応づけてインターネット７を介してＷｅｂサーバ８１に送信する（ステップＳ５０２）。
【００５８】
Ｗｅｂサーバ８１は、インターネット７を介して交換機１または交換機２からホームページ８２の閲覧を要求する情報と認証キーとを受信する。そして、Ｗｅｂサーバ８１は、予め通信事業者サーバ７１から受信して記憶し、ログインＩＤまたはパスワードとして設定していた認証キーと、交換機１または交換機２から受信した認証キーとを比較して合致するか否かを判断する（ステップＳ５０３）。
【００５９】
Ｗｅｂサーバ８１は、交換機１または交換機２から受信した認証キーと、予め通信事業者サーバ７１から受信して記憶し、ログインＩＤまたはパスワードとして設定していた認証キーとが合致すると判断すると、携帯電話機９または携帯電話機１０にホームページ８２の閲覧を許可し、携帯電話機９または携帯電話機１０にホームページ８２を表示させるデータを、インターネット７と交換機１または交換機２とを介して送信する（ステップＳ５０４）。
【００６０】
Ｗｅｂサーバ８１は、交換機１または交換機２から受信した認証キーと、予め通信事業者サーバ７１から受信して記憶し、ログインＩＤまたはパスワードとして設定していた認証キーとが合致しないと判断すると、携帯電話機９または携帯電話機１０にホームページ８２の閲覧を許可せず、携帯電話機９または携帯電話機１０に、ホームページ８２の閲覧の拒否を示すデータを、インターネット７と交換機１または交換機２とを介して送信する（ステップＳ５０５）。
【００６１】
図７は、第２の実施の形態において、携帯電話機９がＷｅｂサーバ８１にホームページ８２の閲覧を要求する際の動作を説明するシーケンス図である。
【００６２】
図１に示す例では、携帯電話機９は、地域３に存在するので、携帯電話機９は、交換機１とインターネット７とを介してＷｅｂサーバ８１に、ホームページ８２の閲覧を要求する情報を送信する（ステップＳ６０１）。ここで、交換機１は、加入者データ１１が携帯電話機９が地域３に存在していることを示しているので、地域３を示す認証キーをホームページ８２の閲覧を要求する情報と対応づけてＷｅｂサーバ８１に送信する（ステップＳ６０２）。
【００６３】
Ｗｅｂサーバ８１は、インターネット７を介して、地域３を示す認証キーと、ホームページ８２の閲覧を要求する情報とを受信する。そして、Ｗｅｂサーバ８１は、予め通信事業者サーバ７１から受信して記憶し、ログインＩＤまたはパスワードとして設定していた認証キーと、受信した認証キーとを比較して合致するか否かを判断する（ステップＳ６０３）。
【００６４】
Ｗｅｂサーバ８１は、地域３を示す認証キーおよび地域５を示す認証キーを記憶し、ログインＩＤまたはパスワードとして設定しているので、受信した地域３を示す認証キーと、予め通信事業者サーバ７１から受信して記憶し、ログインＩＤまたはパスワードとして設定していた認証キーのいずれかとが合致すると判断する。
【００６５】
すると、Ｗｅｂサーバ８１は、携帯電話機９にホームページ８２の閲覧を許可し、携帯電話機９にホームページ８２を表示させるデータを、インターネット７と交換機１とを介して送信する（ステップＳ６０４、Ｓ６０５）。携帯電話機９は、ホームページ８２を表示させるデータを受信すると、ホームページ８２を表示する（ステップＳ６０６）。
【００６６】
図８は、第２の実施の形態において、携帯電話機１０がＷｅｂサーバ８１にホームページ８２の閲覧を要求する際の動作を説明するシーケンス図である。
【００６７】
図１に示す例では、携帯電話機１０は、地域６に存在するので、携帯電話機１０は、交換機２とインターネット７とを介してＷｅｂサーバ８１に、ホームページ８２の閲覧を要求する情報を送信する（ステップＳ７０１）。ここで、交換機２は、加入者データ２１が携帯電話機１０が地域６に存在していることを示しているので、地域６を示す認証キーをホームページ８２の閲覧を要求する情報と対応づけてＷｅｂサーバ８１に送信する（ステップＳ７０２）。
【００６８】
Ｗｅｂサーバ８１は、インターネット７を介して、地域６を示す認証キーと、ホームページ８２の閲覧を要求する情報とを受信する。そして、Ｗｅｂサーバ８１は、予め通信事業者サーバ７１から受信して記憶し、ログインＩＤまたはパスワードとして設定していた認証キーと、交換機２から受信した認証キーとを比較して合致するか否かを判断する（ステップＳ７０３）。
【００６９】
Ｗｅｂサーバ８１は、地域３を示す認証キーおよび地域５を示す認証キーを記憶し、ログインＩＤまたはパスワードとして設定しているが、交換機２から受信した地域６を示す認証キーと、予め通信事業者サーバ７１から受信して記憶し、ログインＩＤまたはパスワードとして設定していた認証キーのいずれもとが合致しないと判断する。
【００７０】
すると、Ｗｅｂサーバ８１は、携帯電話機１０にホームページ８２の閲覧を許可せず、携帯電話機１０に、ホームページ８２の閲覧の拒否を示すデータを、インターネット７と交換機２とを介して送信する（ステップＳ７０４、Ｓ７０５）。携帯電話機１０は、ホームページ８２の閲覧の拒否を示すデータを受信すると、ホームページ８２の閲覧の拒否を示す画面を表示する（ステップＳ７０６）。
【００７１】
以上に述べたように、この実施の形態では、携帯電話機９または携帯電話機１０が送信したホームページ８２の閲覧を要求する情報に対応づけて、交換機１または交換機２が認証キーをＷｅｂサーバ８１に送信している。すなわち、交換機１または交換機２は、Ｗｅｂサーバ８１による認証キーの送信の要求の有無に関わらずホームページ８２の閲覧を要求する情報に対応づけて認証キーをＷｅｂサーバ８１に送信する。
【００７２】
従って、Ｗｅｂサーバ８１は、交換機１または交換機２に認証キーの送信を要求することなく、ホームページ８２の閲覧を許可するか否かを判断することができる。そのため、Ｗｅｂサーバ８１の、交換機１および交換機２との認証キーの送受信による負荷を軽減することができ、携帯電話機９および携帯電話機１０の使用者は、第１の実施の形態に比べて、スムーズにホームページ８２を閲覧することができる。
【００７３】
なお、交換機１または交換機２は、認証キーによる認証を行わないＷｅｂサーバに対しても認証キーを送信することになるが、認証キーによる認証を行わないＷｅｂサーバは、認証キーを受信しても認証キーとして認識しないため、ホームページの閲覧の要求に応じて、携帯電話機９または携帯電話機１０にホームページを表示させるデータを送信する。つまり、携帯電話機９または携帯電話機１０は、認証キーによる認証を行わないＷｅｂサーバが記憶しているホームページを問題なく閲覧することができる。
【００７４】
なお、以上に述べた各実施の形態では、携帯通信端末として携帯電話機を例に説明したが、本発明はこれに限定するものではなく、通信機能を有する携帯型パーソナルコンピュータやＰＤＡ（Ｐｅｒｓｏｎａｌ  Ｄｉｇｉｔａｌ  Ａｓｓｉｓｔａｎｃｅ）等であってもよい。また、携帯通信端末は、公衆無線ＬＡＮ（Ｌｏｃａｌ  Ａｒｅａ  Ｎｅｔｗｏｒｋ）を介して各交換機と接続してもよい。
【産業上の利用可能性】
【００７５】
本発明は、特定の地域の情報を携帯通信端末に送信するシステムに適用することができる。
【図面の簡単な説明】
【００７６】
【図１】本発明の第１の実施の形態の一構成例を示す説明図である。
【図２】通信事業者サーバ７１が、認証キーを発行する際の動作を説明するシーケンス図である。
【図３】携帯電話機がＷｅｂサーバにホームページの閲覧を要求する際の動作を説明するフローチャートである。
【図４】携帯電話機がＷｅｂサーバにホームページの閲覧を要求する第１の場合の動作を説明するシーケンス図である。
【図５】携帯電話機がＷｅｂサーバにホームページの閲覧を要求する第２の場合の動作を説明するシーケンス図である。
【図６】第２の実施の形態において、携帯電話機がＷｅｂサーバにホームページの閲覧を要求する際の動作を説明するフローチャートである。
【図７】第２の実施の形態において、携帯電話機がＷｅｂサーバにホームページの閲覧を要求する第１の場合の動作を説明するシーケンス図である。
【図８】第２の実施の形態において、携帯電話機がＷｅｂサーバにホームページの閲覧を要求する第２の場合の動作を説明するシーケンス図である。
【符号の説明】
【００７７】
１、２          交換機
３、４、５、６  地域
７              インターネット
９、１０        携帯電話機
１１、２１      加入者データ
７１            事業者サーバ
８１            Ｗｅｂサーバ
８２            ホームページ
【図１】
2006121328.tif 000003
【図２】
2006121328.tif 000004
【図３】
2006121328.tif 000005
【図４】
2006121328.tif 000006
【図５】
2006121328.tif 000007
【図６】
2006121328.tif 000008
【図７】
2006121328.tif 000009
【図８】
2006121328.tif 000010